(57)【要約】      （修正有）【課題】放送用信号に関する情報と測定場所とを効率よく整理することができるデータ処理装置を提供する。【解決手段】識別子に対応付けられている放送用信号に関する情報を入力する入力部１３と、放送用信号の測定場所に関する情報と識別子とが対応付けられている測定場所データベースを記憶する記憶部１１と、識別子に基づいて放送用信号に関する情報と放送用信号の測定場所に関する情報とが対応付けられた測定結果ファイルを生成する整理部１０ａと、を有する。また、測定結果ファイルを異なるフォーマットに変換する変換部１０ｂと変換部によって変換された測定結果ファイルを出力する出力部１２を有する。【選択図】図１
0003185105.tif 000002
【実用新案登録請求の範囲】
【請求項１】
識別子に対応付けられている放送用信号に関する情報を入力する入力部と、前記放送用信号の測定場所に関する情報と前記識別子とが対応付けられている測定場所データベースを記憶する記憶部と、前記識別子に基づいて前記放送用信号に関する情報と前記放送用信号の測定場所に関する情報とが対応付けられた測定結果ファイルを生成する整理部と、を有することを特徴とするデータ処理装置。
【請求項２】
前記測定結果ファイルを異なるフォーマットに変換する変換部を備えることを特徴とする請求項１に記載のデータ処理装置。
【請求項３】
前記記憶部に前記フォーマットが複数種記憶されていることを特徴とする請求項２に記載のデータ処理装置。
【請求項４】
前記変換部によって変換された前記測定結果ファイルを出力する出力部を有することを特徴とする請求項２又は請求項３に記載のデータ処理装置。
【考案の詳細な説明】
【技術分野】
【０００１】
本考案は放送用信号のデータを管理するためのデータ処理装置に関する。
【背景技術】
【０００２】
特許文献１にはレベルチェッカーが記載されている。このレベルチェッカーを用いて受信アンテナから伝送された地上デジタルテレビジョン放送等の放送用信号のレベルを測定する。また、信号レベルの他に変調誤差比（ＭＥＲ）やビット誤り率（ＢＥＲ）等の放送品質も測定することができる。
【０００３】
これら放送用信号の測定はテレビ放送波用受信アンテナの設置時に行う設置方向の調整作業等で行われる。また、集合住宅において共同受信システムやケーブルテレビジョンシステム等を利用する場合、アンテナコネクタが設置された部屋ごとに測定が行われる。
【先行技術文献】
【特許文献】
【０００４】
【特許文献１】特開２０１０−２３９５４１号公報
【考案の概要】
【考案が解決しようとする課題】
【０００５】
しかし、測定した放送用信号を整理する際、測定データ及び測定場所が多いと作業が煩雑になる。このため、測定データと測定場所が一致しない等のミスが発生する問題があった。
【０００６】
そこで、本考案は放送用信号に関する情報と測定場所とを効率よく整理することができるデータ処理装置を提供することを目的とする。
【課題を解決するための手段】
【０００７】
上記目的を達成するために本考案のデータ処理装置は、識別子に対応付けられている放送用信号に関する情報を入力する入力部と、前記放送用信号の測定場所に関する情報と前記識別子とが対応付けられている測定場所データベースを記憶する記憶部と、前記識別子に基づいて前記放送用信号に関する情報と前記放送用信号の測定場所に関する情報とが対応付けられた測定結果ファイルを生成する整理部と、を有することを特徴としている。
【０００８】
また、本考案のデータ処理装置は、上記構成において、前記測定結果ファイルを異なるフォーマットに変換する変換部を備えることを特徴としている。
【０００９】
また、本考案のデータ処理装置は、上記構成において、前記記憶部に前記フォーマットが複数種記憶されていることを特徴としている。
【００１０】
また、本考案のデータ処理装置は、上記構成において、前記変換部によって変換された前記測定結果ファイルを出力する出力部を有することを特徴としている。
【考案の効果】
【００１１】
本考案によると、識別子に基づいて放送用信号に関する情報と放送用信号の測定場所に関する情報とを対応付けることにより、効率よくデータを整理することができる。
【図面の簡単な説明】
【００１２】
【図１】本考案の実施形態に係るパソコンの構成を示すブロック図
【図２】本考案の実施形態に係るパソコンの動作を示すフローチャート
【図３】本考案の実施形態に係るパソコンで処理される測定場所データベースのデータ構造を概念的に示す図
【図４】本考案の実施形態に係るパソコンにより整理処理された測定結果データファイルのデータ構造を概念的に示す図
【図５】本考案の実施形態に係るパソコンに記憶された完成図書用のフォーマットの一例を示す図
【図６】本考案の実施形態に係るパソコンにより作成された完成図書を示す図
【考案を実施するための形態】
【００１３】
以下、本考案をその実施の形態を示す図面に基づいて詳述する。図１は本実施形態に係るパソコン１の構成を示すブロック図である。
【００１４】
〈データ処理装置の構成〉
パーソナルコンピュータ（以下、パソコンという）１は放送用信号管理プログラムがインストールされ、放送用信号管理プログラムが実行されると、パソコン１は放送用信号を管理するデータ処理装置として機能する。パソコン１はＣＰＵ（Ｃｅｎｔｒａｌ  Ｐｒｏｃｅｓｓｉｎｇ  Ｕｎｉｔ）１０と、記憶部１１と、出力部１２と、入力部１３とを含む。
【００１５】
ＣＰＵ１０はパソコン１全体を制御する。また、ＣＰＵ１０は整理部１０ａと変換部１０ｂとを有する。整理部１０ａは識別子に基づいて放送用信号の測定場所に関する情報と放送用信号に関する情報とが対応付けられた測定結果ファイルを生成する。変換部１０ｂは生成された測定結果ファイルを完成図書用のフォーマットに変換する。
【００１６】
記憶部１１はＲＡＭ（Ｒａｎｄｏｍ  Ａｃｃｅｓｓ  Ｍｅｍｏｒｙ）１１ａとＨＤＤ（Ｈａｒｄ  Ｄｉｓｋ  Ｄｒｉｖｅ）１１ｂとを有する。ＲＡＭ１１ａはプログラムを実行する際に作業領域として用いられる。ＨＤＤ１１ｂはＯＳ（Ｏｐｅｒａｔｉｏｎ Ｓｙｓｔｅｍ）プログラム、放送用信号管理プログラム、完成図書用のフォーマット等が複数種記憶されている。
【００１７】
出力部１２は例えば、ＣＲＴ（Ｃａｔｈｏｄｅ Ｒａｙ Ｔｕｂｅ）ディスプレイや液晶ディスプレイ等であり、各種データに基づく画面表示を行う。また、整理処理されたデータを印刷により出力することもできる。また、データのみを出力又は送信することもできる。
【００１８】
入力部１３は第１入力部１３ａと第２入力部１３ｂを有する。第１入力部１３ａは、例えばコンパクトフラッシュ（登録商標）、ＳＤカード等のメモリカードを挿抜するカードスロットであり、メモリカードに記録されている放送用信号に関する情報をＣＰＵ１０に送る。
【００１９】
第２入力部１３ｂは、例えばキーボードやマウス等であり、操作者の入力操作によって放送用信号の測定場所等の情報が入力される。
【００２０】
〈データ処理〉
ここで、本実施形態における放送用信号管理プログラム実行中におけるパソコン１の動作について、図２のフローチャートを用いながら説明する。第２入力部１３ｂに対して放送用信号管理プログラム起動のための所定の操作が行われ、放送用信号管理プログラムが起動する（ステップ♯１１０）。
【００２１】
次に、ステップ♯１１１において記憶部１１に記憶された測定場所データベースを読み込む。図３は測定場所データベースのデータ構造を概念的に示す図である。測定場所データベースは例えば、ＣＳＶファイルで構成されている。
【００２２】
測定場所データベースはメモリ番号を識別子として放送用信号の測定場所が記憶されている。測定場所に関する情報は「測定場所１」と「測定場所２」とに分類されている。「測定場所１」には住戸の部屋番号が記憶され、「測定場所２」には住戸内の部屋名が記憶されている。なお、測定場所の情報は操作者が入力する。操作者はレベルチェッカーの測定時に測定順と測定場所を紙に記録しておき、これに基づいて入力を行う。なお、紙だけでなくタブレット端末やスマートフォン等の携帯端末又はノートパソコンに記録してもよい。また、これらの端末を使ってレベルチェッカーの測定時に測定場所データベースを作成してもよい。
【００２３】
なお、測定場所データベースの読み込みは操作者が入力した測定場所に関する情報とメモリ番号から測定場所データベースが生成され、その測定場所データベースがＲＡＭ１１ａに一時的に記憶されことで完了する。なお、放送用信号管理プログラム実行前に予め測定場所の情報を入力しておきＨＤＤ１１ｂに記憶してもよい。この場合、ステップ♯１１１でＨＤＤ１１ｂに記憶された測定場所データベースを読み込む。また、メモリカードに記憶された測定場所データベースを直接読み込んでもよい。
【００２４】
次に、ステップ♯１１２において第１入力部１３ａからメモリカードに記憶された測定データを複数選択する。
【００２５】
この測定データはレベルチェッカー（不図示）が測定した放送用信号に関する情報であり、測定ごとに識別子となるファイル名に対応付けて記憶されている。なお、測定データは例えば、ＣＳＶファイルで構成されている。
【００２６】
具体的には、レベルチェッカーは一度の測定で複数のチャンネルをスウィープしながらチャンネルごとに信号レベルを測定する。すべてのチャンネルの測定が終了すると、識別子となるファイル名を設定して測定データをメモリカードに記憶する。なお、ファイル名は測定毎に異なる。例えば、「０００１」、「０００２」と測定順に番号が設定される。なお、レベルチェッカーの設定により、変調誤差比（ＭＥＲ）やビット誤り率（ＢＥＲ）等の放送品質をまとめて測定し、記憶することもできる。
【００２７】
次に、ステップ♯１１３に移行する。ステップ♯１１３では整理部１０ａが測定結果ファイルを生成する。測定結果ファイルは例えば、ＣＳＶファイルで構成され、識別子に基づいて放送用信号の測定場所に関する情報と放送用信号に関する情報とが対応付けられて整理される。
【００２８】
図４は測定結果ファイルのデータ構造を概念的に示す図である。測定結果ファイルは選択された測定データのファイル名に基づいてメモリ番号が設定され、メモリ番号を識別子として測定場所に関する情報と放送用信号に関する情報（測定時刻及びチャンネルごとの信号レベル）が対応付けられて整理されている。なお、レベルチェッカーで測定されていないチャンネルはエラーとして「×」が表示されている。
【００２９】
次に、ステップ♯１１４において作成された測定結果データファイルを出力部１２の一部のディスプレイに表示して、ステップ♯１１５に移行する。なお、測定結果データファイルは出力部１２からデータとして出力することもできる。
【００３０】
ステップ♯１１５ではＨＤＤ１１ｂに記憶された複数の完成図書用のフォーマットの中から一のフォーマットを選択してステップ♯１１６に移行する。なお、図５は完成図書用のフォーマットの一例を示す図であり、完成図書用のフォーマットは各要素が空の状態でＨＤＤ１１ｂに記憶されている。その他のフォーマットの一例としては、レベルチェッカーの測定機種や測定者名を入力する欄を設けたもの等がある。
【００３１】
ステップ♯１１６ではステップ♯１１３で整理されたデータを変換部１０ｂが完成図書用のフォーマットに変換する。
【００３２】
次に、ステップ♯１１７に移行して完成図書を出力部１２から印刷してプログラムを終了する。例えば、完成図書は図６のようになる。なお、完成図書の物件名、追記事項の欄は操作者の入力操作によって入力される要素である。これらの要素の入力はステップ♯１１５で完成図書用のフォーマットを選択した後に行ってもよいし、ステップ♯１１６で完成図書用のフォーマットに変換した後に行ってもよい。また、予めこれらの要素が入力された完成図書用のフォーマットをＨＤＤ１１ｂに記憶しておき、ステップ♯１１５においてこのフォーマットを選択してもよい。
【００３３】
本実施形態によれば、識別子に対応付けられている放送用信号に関する情報を入力する入力部１３と、放送用信号の測定場所に関する情報と識別子とが対応付けられている測定場所データベースを記憶する記憶部１１と、識別子に基づいて放送用信号に関する情報と放送用信号の測定場所に関する情報とが対応付けられた測定結果ファイルを生成する整理部１０ａと、を有することにより、放送用信号に関する情報と測定場所とを効率よく整理することができる。
【００３４】
また、変換部１０ｂで測定結果ファイルを異なるフォーマットに変換して提出用の完成図書を作成することができる。
【００３５】
また、記憶部１１にフォーマットが複数種記憶されており、使用者は完成図書用のフォーマットを選択することができる。
【００３６】
変換部１０ｂが変換した情報を出力部１２で出力することにより、完成図書を印刷したり、データとして出力することができる。
【符号の説明】
【００３７】
１              パソコン（データ処理装置）
１０            ＣＰＵ
１０ａ          整理部
１０ｂ          変換部
１１            記憶部
１１ａ          ＲＡＭ
１１ｂ          ＨＤＤ
１２            出力部
１３            入力部
１３ａ          第１入力部
１３ｂ          第２入力部
【図１】
0003185105.tif 000003
【図２】
0003185105.tif 000004
【図３】
0003185105.tif 000005
【図４】
0003185105.tif 000006
【図５】
0003185105.tif 000007
【図６】
0003185105.tif 000008